(57)【要約】本発明は、ユーザにテレビ番組を提案する方法に関し、テレビ番組の好適な特徴のセットを維持すること、少なくとも１つの好適な特徴が適用可能であるテレビ番組をユーザに示唆すること、与えられたテレビ番組からユーザが選択を為すとき、ユーザの入力により好適な特徴のセットを更新すること、番組が選択されたとき、選択されたテレビ番組について適用可能な好適な特徴を与えること、ユーザにより選択された少なくとも１つの好適な特徴を受けること、及びユーザにより選択された特徴により特徴のセットを更新することを含んでいる。ユーザにとって最も重要であると考えられる特徴を選択することで、システムは、より多くの情報をユーザから取得することができ、ラーニングプロセスを短時間で実行することができ、ユーザが早期の段階で有功に制限された選択にわたり処理することができる。また、本発明は、本発明に係る方法を実行する装置に関する。
2008519523.tif 000002
【特許請求の範囲】
【請求項１】
ユーザにテレビ番組を提案する方法であって、
テレビ番組の好適な特徴のセットを維持するステップと、
少なくとも１つの好適な特徴が適用可能であるテレビ番組をユーザに提案するステップと、
表示されたテレビ番組からユーザが選択をなすとき、ユーザの入力により好適な特徴のセットを更新するステップとを含み、
番組が選択されたとき、選択されたテレビ番組について適用可能な好適な特徴を表示するステップと、
ユーザにより選択された少なくとも１つの好適な特徴を受けるステップと、
ユーザにより選択された特徴により特徴のセットを更新するステップと、
を含むことを特徴とする方法。
【請求項２】
当該方法は、パーソナルビデオレコーダにより実行され、選択されたテレビ番組は、パーソナルビデオレコーダにより記録されるためにプログラムされる、
ことを特徴とする請求項１記載の方法。
【請求項３】
当該方法は、テレビジョンセットにより実行され、選択されたテレビ番組は、自動的に表示されるようにプログラムされる、
ことを特徴とする請求項１記載の方法。
【請求項４】
当該方法は、パーソナルビデオリコメンダにより実行される、
ことを特徴とする請求項１記載の方法。
【請求項５】
前記番組の好適な特徴の選択は、プログラムされるべき前記番組の選択として受けられる、
ことを特徴とする請求項１乃至４のいずれか記載の方法。
【請求項６】
ユーザにより選択されるべき推薦されたテレビ番組をもつ第一のメニューを表示するステップと、番組を選択した後、選択された番組に適用可能な好適な特徴のリストを有する第二のメニューを表示するステップと、プログラムされるべき前記番組の選択として前記番組の特徴の選択を受けるステップとを含む、
ことを特徴とする請求項５記載の方法。
【請求項７】
請求項１乃至６のいずれか記載の方法を実行するためにメモリがプログラムされる、
ことを特徴とする、メモリを有する装置。
【請求項８】
テレビ番組をユーザに推薦する装置であって、
当該装置は、テレビ番組の好適な特徴のセットを維持し、少なくとも１つの好適な特徴が適用可能であるテレビ番組をユーザに提案するために適合され、
当該装置は、表示されたテレビ番組からユーザが選択をなすとき、ユーザの入力からの好適な特徴のセットを更新するために適合され、
当該装置は、プログラムされるべき番組が選択されたとき、選択されたテレビ番組について適用可能な好適な特徴をユーザに表示するために適合され、
当該装置は、選択された番組のユーザにより選択された少なくとも１つの好適な特徴を受けるために適合され、当該装置は、ユーザにより選択された特徴により特徴のセットを更新するために適合される、
ことを特徴とする装置。
【請求項９】
当該装置は、選択されたテレビ番組を記録するためにプログラムされるビデオレコーダである、
ことを特徴とする請求項７又は８記載の装置。
【請求項１０】
当該装置は、選択されたテレビ番組を表示するためにプログラムされるテレビジョンセットである、
ことを特徴とする請求項７又は８記載の装置。
【請求項１１】
当該装置は、パーソナルビデオリコメンダに接続されるテレビジョンセット又はビデオレコーダを制御するためにプログラムされるパーソナルビデオリコメンダである、
ことを特徴とする請求項７又は８記載の装置。
【請求項１２】
当該装置は、リモートコントロールユニットに少なくとも部分的に組み込まれる、
ことを特徴とする請求項７又は８記載の装置。
【請求項１３】
当該装置は、プログラムされるべき前記番組の選択として番組の好適な特徴の選択を受けるために適合される、
ことを特徴とする請求項７乃至１２のいずれか記載の装置。
【請求項１４】
当該装置は、ユーザにより選択されるべき推薦されたテレビ番組をもつ第一のメニューを表示するために適合され、番組を選択した後、当該装置は、選択された番組に適用可能な好適な特徴のリストを有する第二のメニューを表示するために適合され、当該装置は、プログラムされるべき前記番組の選択として前記番組の特徴の選択を受けるために適合される、
ことを特徴とする請求項７乃至１３のいずれか記載の装置。
【請求項１５】
タッチスクリーンを有し、
当該装置は、前記タッチスクリーンで前記第一のメニュー及び前記第二のメニューを表示するために適合される、
ことを特徴とする請求項７乃至１４のいずれか記載の装置。
【請求項１６】
当該装置は、アイコンにより前記タッチスクリーンにテレビ番組の特徴を表示するために適合される、
ことを特徴とする請求項１５記載の装置。
【請求項１７】
前記タッチスクリーンは、リモートコントロールユニットに組み込まれる、
ことを特徴とする請求項１５又は１６記載の装置。
【請求項１８】
請求項１記載の方法を実行するためにコンピュータをプログラミングするためのコンピュータ実行可能なコードを有するコンピュータプログラム。
【請求項１９】
請求項１８記載のコンピュータプログラムを保持する記録キャリア。
【発明の詳細な説明】
【技術分野】
【０００１】
本発明は、テレビ番組をユーザに提案する方法に関する。  
また、本発明は、テレビ番組をユーザに推薦する装置に関する。  
また、本発明は、かかる方法を実行するためにコンピュータをプログラミングするためのコンピュータ実行可能なコードを含むコンピュータプログラムプロファクトに関する。  さらに、本発明は、かかるコンピュータプログラムプロダクトを実行する記録キャリアに関する。
【背景技術】
【０００２】
大部分のテレビ視聴者は、多数のテレビチャネルから選択する可能性を有する。したがって、利用可能なテレビジョン番組の概要を得ることが困難である。  
この問題は、チャネルがブロードキャストされるブロードキャストチャネル又は時間に関する情報なしに番組の記録を可能にするシステムにより部分的にのみ緩和される。これらのシステムは、記録プロセスを更にユーザフレンドリにするが、利用可能なテレビ番組の概要を得る容易さに関する影響を有さない。
【０００３】
ＵＳ−Ａ−２００２  ０１０４０８７は、テレビ番組をユーザに提案する方法を開示するものであり、この方法は、テレビ番組の好適な機能のセットを維持し、少なくとも１つの好適な機能が適用可能なテレビ番組をユーザに提案し、好適なテレビ番組からの選択をなすときは何時でも、ユーザの入力により好適な特徴のセットを更新するステップを含む。
【０００４】
これは、利用可能なテレビ番組の提供を実質的に更に組織化されたものとし、ユーザにとってアクセス可能にする。しかし、このシステムは、ユーザの好み、又はユーザが関心を有する番組の特徴に関するユーザからの入力を必要とする。番組の特徴の例は、「アクション」、「ドラマ」、「スリラー」、「ドキュメンタリ」等の番組のジャンル、俳優、番組の国籍、監督の名前、又は作者である。
【０００５】
ＵＳ−Ａ−２００２  ０１０４０８７に開示されるシステムでは、好適な特徴のリストは、ユーザが推薦されるべき番組を選択したときはいつでも自動的に更新される。それぞれの番組は多数の特徴を有するので、ユーザが何故その番組を見たいのか、又は彼が最も関心があるのはどの特徴かに関する情報を提供しないため、システムがユーザの好みを学習する前にかなりの時間を要する。
【発明の開示】
【発明が解決しようとする課題】
【０００６】
本発明の目的は、ユーザの好みが短時間で学習される方法を提供することにある。  
【課題を解決するための手段】
【０００７】
この目的は、番組が選択されたときは何時でも、選択されたテレビ番組にとって利用可能な好適な特徴を表し、ユーザにより選択された少なくとも１つの好適な特徴を許容し、ユーザにより選択された特徴の助けにより特徴のセットを更新する、方法により達成される。
【０００８】
ユーザにとって最も関連するとみなされる特徴を選択することで、システムは、ユーザから多くの情報を取得し、ラーニングプロセスが短時間で実行され、ユーザが早期の段階で通常に制限された選択にわたり廃棄される。本明細書では、用語「更新／アップデート“update”」は、好適な特徴のセットの適応を包含し、ユーザの項のみを「学習」させ、ユーザの変化する関心を考慮することが理解される。
【０００９】
さらに、本発明は、ユーザにテレビ番組を推薦する装置を提供するものであり、本装置は、テレビ番組の好適な特徴のセットを保持し、少なくとも１つの好適な特徴は利用可能であるテレビ番組をユーザに推薦するために適合され、本装置は、ユーザが提供されたテレビ番組から選択をなすときは何時でも、ユーザの入力からの好適な特徴のセットを更新するために適合され、本装置は、番組がプログラムされるために選択されたときに選択された番組にとって利用可能な好適な特徴を提供するために適合され、本装置は、選択された番組のユーザにより選択される少なくとも１つの好適な特徴を受けるために適合され、本装置は、ユーザにより選択された特徴により特徴のセットを更新するために適合される。この装置は、先に記載された方法と同じ利点をもたらす。
【００１０】
ＵＳ−Ａ−２００２  ０１０４０８７は、ユーザからの明示的なフィードバックを必要とする、別の種類のパーソナルビデオレコーダを開示する。しかし、大部分のユーザは、ユーザからの明示的なアクションを必要とするので、装置にフィードバックを与えるのが消極的である。本発明では、シングルフィードバックの問題が非常に要求が厳しいものでないように、ユーザから必要とされるフィードバックが非常に制限されるときに、装置を扱うことにユーザが関与するときに要求されるので、この問題点は回避される。この従来技術に対する別の利点は、ユーザが装置の扱いに関与するだけでなく、番組の選択においても関与することである、前記番組をユーザが何故見たいかに関する暗黙の質問が労力を要さない。
【００１１】
上記記載において、方法及び装置は、テレビ番組を推薦するために適合される。推薦は、ビデオレコーダに前記番組を記録する推薦である。このビデオレコーダは、ビデオカセットレコーダであるが、固定されたハードディスク又は交換可能なレコーダブルディスクのいずれかをもつデジタルビデオレコーダである。これらの状況の両者では、本方法は、パーソナルビデオレコーダにより実行され、選択されたテレビ番組は、パーソナルビデオレコーダにより記録されるようにプログラムされる。その後、装置は、選択されたテレビ番組を記録するためにプログラムされるビデオレコーダである。
【００１２】
また、推薦は、番組がブロードキャストされる時間がユーザにとって便利である場合に、推薦された番組を視聴するための推薦として使用される。その後、システムは、番組の開始直前にテレビジョンセットでスイッチするために適合される。かかる実現では、本方法は、パーソナルビデオリコメンダにより実行され、選択されたテレビ番組は、自動的に表示されるようにプログラムされる。装置は、選択されたテレビ番組を表示するためにプログラムされるパーソナルビデオリコメンダである。ビデオリコメンダは、ＴＶセットに組み込まれる。
【００１３】
しかし、ビデオリコメンダは、個別のコンポーネントである場合がある。このコンポーネントは、テレビ受像機又はビデオレコーダに結合される場合がある。ビデオリコメンダは、ＴＶセットの統合された部分である場合がある。個別のユニット及び装置に統合されたユニットの両者として、ビデオリコメンダは、統合されたホームビデオシステムの一部を形成する場合がある。かかるホームビデオシステムの例は、Philips Connected Planet Architectureに基づいている。このシステムでは、本発明の装置及び方法の異なる機能は、このシステムの幾つかの個別のコンポーネントで実現され、第一のコンポーネントでリコメンダ機能を実現し、別の装置でメタデータ機能を実現し、第三の装置における記録機能を実現することが可能である。
【００１４】
好適な実施の形態によれば、番組の好適な特徴の選択は、プログラムされるべき前記番組の選択として許容される。これは、ユーザから要求されるアクションの更なる低減につながる。結果的に、好適な実施の形態は、プログラムされるべき前記番組の選択として番組の好適な特徴の選択を受けるために適合される装置を提供する。
【００１５】
別の好適な実施の形態は、ユーザにより選択されるべき推薦されたテレビ番組をもつ第一のメニューを表示すること、番組を選択した後、選択された番組に適用可能な好適な特徴のリストを含む第二のメニューを表示すること、プログラムされるべき前記番組の選択として前記番組の特徴の選択を受けることを含む。この実施の形態は、ユーザにより選択されるべき推薦されたテレビ番組をもつ第一のメニューを表示するために適合される装置を提供するものであり、本装置は、選択された番組に適用可能な好適な特徴のリストを有する第二のメニューを表示するために適合され、本装置は、プログラムされるべき前記番組の選択として前記番組の機能の選択を受けるために適合される。この実施の形態は、ユーザからの労力の更なる低減をもたらす。たしかに、ユーザが記録されるべき番組をチェックするのをのぞむとき、彼はメニューをアクチベートし、好適な番組のリストを表示する。次いで、彼は、好ましくは係るようにマークされたスクリーンのエリアを押すことで、記録又は視聴されるべき番組で選択する。この番組が選択されたとき、第二のメニューがスクリーンに現れ、選択された番組が表示されるが、前記番組に関連する特徴も表示される。その後、ユーザは、特徴でマークされたスクリーンのエリアを押すことで、彼の選択を確認する。次いで、システムは、ユーザが選択された番組を記録又は視聴するのを望む情報を取得するが、特徴のうち、彼が関連するとみなした前記番組に関連する特徴を取得する。次いで、システムは、この情報を使用して、ユーザの好適な特徴のリストを更新する。
【００１６】
好ましくは、装置は、第一及び第二のメニューをそこに表示するために適合されるタッチスクリーンを有する。タッチスクリーンの２つの機能の組み合わせは、選択が行われるメニューが先のメニューでなされた選択に依存するので、本発明による特定の魅力的な使用につながる。
【００１７】
更に別の実施の形態によれば、本装置は、アイコンによりタッチスクリーンでテレビ番組の特徴を表示するために適合される。映画のジャンルのようなテレビ番組の特徴は、アイコンとして表すのに適しており、これによりユーザの選択を更に直観的なものにする。
【００１８】
本発明がユーザとの幾つかのインタラクションを必要とするので、ユーザにとって、番組の選択及び番組の特徴の選択である、本発明の機能の制御のために入力装置としてリモートコントロールユニットを使用することが便利である。タッチスクリーンがリモートコントロールに組み込まれたとき、両方の実施の形態の利点が結合される。
【００１９】
リモートコントロールユニットの使用は、リモートコントロールユニットに制御機能を組み込む可能性を提供するだけでなく、リモートコントロールユニットに知的な機能を組み込む。かかるリモートコントロールユニットは、通常の、標準的なチャネルを通してＴＶセット又はビデオレコーダのようなその装置と通信するために適合される。新たに適合されたリモートコントロールユニットは、従来技術のリモートコントロールユニットを置き換えるため個別のユニットとして市販され、新たな機器を購入することなしに、本発明の利点を得る可能性がユーザに提供される。
【発明を実施するための最良の形態】
【００２０】
以下、本発明は、添付図面を参照しながら説明される。  
本発明は、図１に示されるようなシステムに適用可能であり、パーソナルビデオレコーダ１、テレビジョンセットのようなディスプレイユニット２、及びリモートコントロールユニット３を有する。システムは、本発明にとって関連しないので更に説明されない更なるコンポーネントを有するホームシネマシステムの一部である。
【００２１】
パーソナルビデオレコーダ１は、次の週又はスケジュールが利用可能な他の制限された期間についてスケジュールされる番組をユーザに表示するために適合される。ユーザに表示されるべき番組数を低減するため、パーソナルビデオレコーダは、ユーザの好みに従って制限された番組の選択を表示するために適合される。かかる選択をなすことが可能であるため、パーソナルビデオレコーダは、ユーザの好みを必要とする。従来技術のパーソナルビデオレコーダは、インストール手順の一部としてユーザの好みをユーザが入力するのを必要とする。大部分のユーザは、これが面倒であることが分かっている。さらに、初期の好みの入力が適切に実行されない場合に、関心のある領域の外に提案を導く場合がある。別の問題点は、ユーザの好みが時間につれて変化する場合があることである。  
別の種類のパーソナルビデオレコーダが知られており、レコーダは彼が記録するのを望む番組からユーザの好みを記録する。これはユーザにとって便利であるが、レコーダは長い学習時間を必要とする。  
本発明に係るパーソナルビデオレコーダは、ユーザが記録されるべき番組について彼の選択をなすときにユーザの好みを尋ねることで、これらの問題を回避する。
【００２２】
パーソナルビデオレコーダは、図２に示される図に示されている以下のコンポーネントを有する。メインコンポーネントは、プロセッサ４であり、実施されるべき全てのアクションを制御する。プロセッサ４は、番組情報のソース５に接続される。このソースは、テレテキスト、シーファクス又はテレビ信号に組み込まれる他の番組情報をデコードするデコーダ、又はインターネットからのスケジュールを取得するために適合されるデコーダのような、異なる形式を取る場合がある。他の番組スケジュールのソースは、排除されない。パーソナルビデオレコーダは、ディスプレイ６及び入力装置７を有し、ユーザとのインタフェースとして機能する。まさに通常のビデオレコーダとして、本発明に係るパーソナルビデオレコーダは、プレイバックユニットと結合されることがある、レコードユニット８を有する。
【００２３】
この点に関して、ビデオレコードユニットは、アナログ方式でビデオカセットに記録するために適合されるが、このユニットがデジタルフォーマットでビデオ信号を記録するために適合されるデジタルレコードユニットであることが好ましい。これは、交換可能なディスクでのＤＶＤフォーマットであるが、固定された、すなわち交換可能でないハードディスクが設けられた装置に関する場合もある。
【００２４】
最後に、このユニットは、好みを記憶するプリファレンスメモリ９、並びに、記録されるべき番組の時間、チャネル及びアイデンティフィケーションを記憶するレコード制御メモリ１０を有する。パーソナルビデオレコーダは、その機能について必要とされる他のコンポーネントを含むが、この記述では、それらのコンポーネントのみが本発明に関して記載されている。  
その後、パーソナルビデオレコーダのアクションが記載される。したがって、プリファレンスメモリは、ユーザの好適な特徴を既に有することが想定される。
【００２５】
本発明は、テレビジョンのそれぞれの番組が特徴を所有する事実を利用する。特徴は、番組の国籍、番組のジャンルであり、探偵又は犯罪、ドキュメンタリ又はスポーツ番組、監督、主役の俳優、プレゼンタ等である。なお、全ての特徴がそれぞれのジャンルに接続される訳ではない。
【００２６】
ユーザは彼のパーソナルビデオレコーダをオンに切り替えるか、又は、彼がレコーダをスタンバイ状態からアクティブ状態にし、その後、ディスプレイ６がユーザの好みにしたがって番組のリストを表示することが想定される。リストが長い場合、スクロールされる場合がある。レコーダ１のプロセッサ４は、番組情報ソース５から、次の数日又は次の週について番組の特徴を含む詳細を取得する。図示される番組は、プリファレンスメモリ９におけるユーザの好適な特徴のリスト内にある少なくとも１つの特徴を全て有する。
【００２７】
かかるリストの例は、図３のフローチャートに示されている。ここで、リストは第一のメニューを形成する。次いで、ユーザは、選択された番組に加えてキーボードのボタンを押すか、又はディスプレイ６及び入力装置７の組み合わせの代わりにタッチスクリーンが使用されるとき番組名を押すことで、前記第一のメニューから選択をなす。
【００２８】
次いで、システムは、図３に示されている第二のメニューを表示し、選択された番組の名前及びその特徴が示されている。次いで、ユーザは、記録のためにスケジュールされるように、選択された番組を確認する。好適な実施の形態によれば、たとえばそのジャンルといった、選択された番組の特徴のうちの１つを選択することで選択を確認する。プロセッサはこの選択を通知し、プロセス自身が本発明の一部を形成しないラーニングプロセスの入力として使用される。
【００２９】
次いで、ユーザは、プログラミングプロセスを終了するか、ユーザは、リストから別の番組をプログラムするのを望む場合がある。  
先に記載されたコンセプトに対して様々な変形が可能である。たとえば、１を超える特徴を示すための可能性がユーザに提供され、これら２つの特徴を処理するために装置が適合されることが可能である。
【００３０】
別の変形は、特徴を表示するやり方にある。先に記載された実施の形態では、番組の特徴はワードで表示され、アイコン又はシンボルによりこれらの特徴を表示することも可能である。
【００３１】
更に別の変形は、メニューが表示されるやり方にある。先の実施の形態では、メニューは２ステップで記載され、第一のステップは初期の選択をなすものであり、第二のステップは、最重要であると考えられる特徴の選択による選択を確認するものである。それら番組に接続された特徴により番組のマトリクスを表示することで、これら２ステップを結合することも可能である。再重要なものと考えられる番組の選択及び特徴の選択は、選択された番組の関連する特徴の選択による単一のアクションで達成される。有利にも、このバリエーションは、タッチスクリーンの使用、及びスクリーンの両方向における可能性のあるスクローリング機能と結合される。
【００３２】
本発明のシンプルな実現は、自由に番組を記録し、これらを再生するために適合されるパーソナルビデオレコーダで配置される。しかし、ユーザが彼の関心を示した番組がスケジュールされたときにテレビジョンセットをオンにするために適合される本発明の「パーソナルビデオリコメンダ」を実現することもできる。これは、ユーザが番組を見るのを忘れるのを回避する。
【００３３】
本発明は、装置それ自身において、すなわちこれらパーソナルビデオレコーダにおいて通常実現される。通常、この種の装置には、リモートコントロールが設けられる。次いで、リモートコントロールは、本発明が実行されるのを可能にする、余分のボタン及びタッチスクリーンを有する。しかし、ビデオレコーダで一般的であるように、ＴＶのスクリーンの利用を可能にする。
【００３４】
本発明の実現のために必要とされるコンポーネントは、小さなディメンジョンを有する。これは、リモートコントロールユニットに本発明を組み込み、パーソナルビデオリコメンダと使用されるために、独自でこれを販売する可能性を提供する。
【図面の簡単な説明】
【００３５】
【図１】本発明が盛り込まれるパーソナルビデオレコーダ、ディスプレイユニット及びリモートコントロールユニットからなる概念図である。
【図２】本発明の実施の形態の概念図である。
【図３】本発明を説明するフローチャートである。
【図１】
2008519523.tif 000003
【図２】
2008519523.tif 000004
【図３】
2008519523.tif 000005
【国際調査報告】
2008519523.tif 000006
2008519523.tif 000007
2008519523.tif 000008